(57)【要約】【課題】表面に弾性を有する複数の円柱体が設置される引っ掛からない釣り用錘を提供する。【解決手段】錘（１０）の上下にみち糸（３０）を設置するため貫通孔（１１）が形成されると共に、錘（１０）の表面に弾性を有する複数の円柱体（２０）が設けられることを特徴とする。【選択図】　　　図１
2004057081.tif 000002
【特許請求の範囲】
【請求項１】
錘（１０）の上下にみち糸（３０）を設置するため貫通孔（１１）が形成されると共に、錘（１０）の表面に弾性を有する複数の円柱体（２０）が設けられることを特徴とする引っ掛からない釣り用錘。
【請求項２】
錘（１０）は楕円形であり、上記の錘（１０）の一端に一部を取り除けさせると共に、錘（１０）の重心を他端に移動させ、上記の円柱体（２０）の排列方式は錘（１０）の表面に三層のリング状の排列方式であり、各層に四本から六本までの円柱体（２０）を有し、錘（１０）の取り除けた一部の表面に貫通孔（１１）と平行して三本の円柱体（２０）が設けられ、錘（１０）の表面に蛍光剤又は着色剤を塗ることを特徴とする請求項１に記載の引っ掛からない釣り用錘。
【請求項３】
錘（１０）の上下にみち糸（３０）を設置するため貫通孔（１１）が形成されると共に、錘（１０）に表面に弾性を有する複数の円柱体（２０）を備えるカバー（２１）が設けられ、カバー（２１）は弾性を有するゴム材質であり、一端に開口部（２１２）が形成されると共に、他端に貫通孔（１１）と対応する孔（２１１）が形成され、カバー（２１）の長さは錘（１０）の７／８であり、カバー（２１）の表面に設置する複数の円柱体（２０）の排列方式はカバー（２１）の表面に三層のリング状の排列方式であり、各層に四本から六本までの円柱体（２０）を有し、孔（２１１）を有するカバー（２１）の一端の表面に貫通孔（１１）と平行して三本の円柱体（２０）が設けられ、カバー（２１）の表面に蛍光剤又は着色剤を塗ることを特徴とする引っ掛からない釣り用錘。
【発明の詳細な説明】
【０００１】
【発明の属する技術分野】
本発明は、表面に弾性を有する複数の円柱体が設置される引っ掛からない釣り用錘に関するものである。
【０００２】
【従来の技術】
沈底法によって釣りを行う際、一般的には錘によって餌を水中に沈め、浮子によって餌を水中に浮遊させ、魚を誘って釣っている。
【０００３】
【本発明が解決しようとする課題】
しかしながら、上記の従来の装置及び方法には、以下のような問題がある。
水中の地形が複雑であるため、錘が水中の石、水草、珊瑚などに引っ掛かってしまう場合があり、この際、力を使って釣り竿をプルすれば、みち糸を断裂する恐れがあり、即ち、従来の錘は引っ掛かって脱落することがあり、従って、錘の使用量が大きく、且つ錘を更新することも面倒であるので、釣りの楽しみを失ってしまう。
【０００４】
そこで、出願されたのが本発明であって、表面に弾性を有する複数の円柱体が設置される引っ掛からない釣り用錘を提供することを目的としている。
【０００５】
【課題を解決するための手段】
本願の請求項１の発明は、錘（１０）の上下にみち糸（３０）を設置するため貫通孔（１１）が形成されると共に、錘（１０）の表面に弾性を有する複数の円柱体（２０）が設けられることを特徴とする引っ掛からない釣り用錘を提供する。
本願の請求項２の発明は、錘（１０）は楕円形であり、上記の錘（１０）の一端に一部を取り除けさせると共に、錘（１０）の重心を他端に移動させ、上記の円柱体（２０）の排列方式は錘（１０）の表面に三層のリング状の排列方式であり、各層に四本から六本までの円柱体（２０）を有し、錘（１０）の取り除けた一部の表面に貫通孔（１１）と平行して三本の円柱体（２０）が設けられ、錘（１０）の表面に蛍光剤又は着色剤を塗ることを特徴とする請求項１に記載の引っ掛からない釣り用錘を提供する。
本願の請求項３の発明は、錘（１０）の上下にみち糸（３０）を設置するため貫通孔（１１）が形成されると共に、錘（１０）に表面に弾性を有する複数の円柱体（２０）を備えるカバー（２１）が設けられ、カバー（２１）は弾性を有するゴム材質であり、一端に開口部（２１２）が形成されると共に、他端に貫通孔（１１）と対応する孔（２１１）が形成され、カバー（２１）の長さは錘（１０）の７／８であり、カバー（２１）の表面に設置する複数の円柱体（２０）の排列方式はカバー（２１）の表面に三層のリング状の排列方式であり、各層に四本から六本までの円柱体（２０）を有し、孔（２１１）を有するカバー（２１）の一端の表面に貫通孔（１１）と平行して三本の円柱体（２０）が設けられ、カバー（２１）の表面に蛍光剤又は着色剤を塗ることを特徴とする引っ掛からない釣り用錘を提供する。
【０００６】
【発明の実施の形態】
以下、添付図面を参照して本発明の好適な実施の形態を詳細に説明する。
【０００７】
図１は本発明に係わる引っ掛からない釣り用錘の第一実施例の斜視図であり、図２は本発明に係わる引っ掛からない釣り用錘の第二実施例の斜視図であり、図３は本発明に係わる引っ掛からない釣り用錘の第二実施例の使用状態を示す斜視図であり、図４は本発明に係わる引っ掛からない釣り用錘の第三実施例の斜視図であり、図５は本発明に係わる引っ掛からない釣り用錘の第三実施例の使用状態を示す斜視図である。
【０００８】
図１に示すように、本発明の第一実施例は錘（１０）の上下にみち糸（３０）を設置するため貫通孔（１１）が形成されると共に、錘（１０）の表面に弾性を有する複数の円柱体（２０）が設けられ、この円柱体（２０）は端部によって錘（１０）の表面に粘着している。又、上記の錘（１０）は楕円形又は円形又は円柱形に現れても良い。
【０００９】
錘（１０）の表面に設置する複数の円柱体（２０）の排列方式は錘（１０）の体積又は長さ次第で適当に変更しても良い。より良い排列方式は錘（１０）の表面に三層のリング状の排列方式であり、各層に四本から六本までの円柱体（２０）を有し、又、錘（１０）の上下の表面に貫通孔（１１）と平行して三本の円柱体（２０）が設けられている。
【００１０】
本発明を使用する際、錘（１０）の表面に弾性を有する円柱体（２０）を設置するので、錘（１０）を水底に沈んでいる際、円柱体（２０）が錘（１０）を支えている。又、釣り竿をプルすると共に、錘（１０）を移動する際、若し錘（１０）が石又は珊瑚と接触すれば、円柱体（２０）の弾性によって錘（１０）は石又は珊瑚と離しており、従って、錘（１０）を引っ掛かることを防止することができる。更に、錘（１０）の表面に蛍光剤を塗っても良く、それにより、夜間に釣りすれば、可視性、安全性及び魚を誘う効果を向上することができる。
【００１１】
図２及び図３に示すように、これは本発明の第二実施例であり、第一実施例と殆ど等しく、錘（１０）は楕円形であり、錘（１０）の上下にみち糸（３０）を設置するため貫通孔（１１）が形成されると共に、錘（１０）の表面に弾性を有する複数の円柱体（２０）が設けられている。異なる箇所はこの錘（１０）の一端に一部を取り除けさせると共に、錘（１０）の重心を他端に移動させ、それにより、錘（１０）は水中にプルし易くなる。
【００１２】
取り除ける一部の錘（１０）の体積は全ての体積の１／８であり、選ぶ錘（１０）の材質は比重が大きいし、沈みスピードが速いし、抗腐食性が高いし、値段が安いものである。
【００１３】
錘（１０）の表面に設置する複数の円柱体（２０）の排列方式は錘（１０）の体積又は長さ次第で適当に変更しても良い。より良い排列方式は錘（１０）の表面に三層のリング状の排列方式であり、各層に四本から六本までの円柱体（２０）を有し、又、錘（１０）の取り除けた一部の表面に貫通孔（１１）と平行して三本の円柱体（２０）が設けられている。
【００１４】
図４及び図５に示すように、これは本発明の第三実施例であり、錘（１０）の上下にみち糸（３０）を設置するため貫通孔（１１）が形成されると共に、錘（１０）に表面に弾性を有する複数の円柱体（２０）を備えるカバー（２１）が設けられている。このカバー（２１）は弾性を有するゴム材質であり、一端に開口部（２１２）が形成されると共に、他端に貫通孔（１１）と対応する孔（２１１）が形成されている。このカバー（２１）の長さは錘（１０）の７／８であり、使用する際、開口部（２１２）を通じて錘（１０）をカバー（２１）内に挿入するだけで良い。円柱体（２０）は端部によってカバー（２１）の表面に粘着する或いはカバー（２１）と一体形成になっても良い。
【００１５】
カバー（２１）の表面に設置する複数の円柱体（２０）の排列方式はカバー（２１）の体積又は長さ次第で適当に変更しても良い。より良い排列方式はカバー（２１）の表面に三層のリング状の排列方式であり、各層に四本から六本までの円柱体（２０）を有し、又、孔（２１１）を有するカバー（２１）の一端の表面に貫通孔（１１）と平行して三本の円柱体（２０）が設けられている。更に、カバー（２１）の表面に蛍光剤又は着色剤を塗っても良く、それにより、夜間に釣りすれば、可視性、安全性及び魚を誘う効果を向上することができる。
【００１６】
【発明の効果】
本発明は以上説明したようになるから、錘（１０）の表面に弾性を有する円柱体（２０）設けられることによって、釣り時に、錘（１０）を引っ掛かることがないため、釣りの楽しみを向上することができる。
【図面の簡単な説明】
【図１】本発明に係わる引っ掛からない釣り用錘の第一実施例の斜視図である。
【図２】本発明に係わる引っ掛からない釣り用錘の第二実施例の斜視図である。
【図３】本発明に係わる引っ掛からない釣り用錘の第二実施例の使用状態を示す斜視図である。
【図４】本発明に係わる引っ掛からない釣り用錘の第三実施例の斜視図である。
【図５】本発明に係わる引っ掛からない釣り用錘の第三実施例の使用状態を示す斜視図である。
【符号の説明】
１０　　　　錘
１１　　　　貫通孔
２０　　　　円柱体
２１　　　　カバー
２１１　　　孔
２１２　　　開口部
３０　　　　みち糸
【図１】
2004057081.tif 000003
【図２】
2004057081.tif 000004
【図３】
2004057081.tif 000005
【図４】
2004057081.tif 000006
【図５】
2004057081.tif 000007